(57)【要約】【課題】ガラス玉により口栓部を密封することのできる密封容器等において、開栓具を備え、かつ誤開栓、あるいは不正開栓を防止することができるテンパーエビデンス性を備えた、密封容器のキャップを提供することを課題とする。【解決手段】キャップであって、容器の口栓部全体を覆う円筒部を有しており、円筒部に連続して、開栓具およびＴＥバンドが一体に成型されており、開栓具は、円筒部天面から圧力を加える押圧部と口栓部の開口部に挿入可能な円筒状の押栓部とから構成され、押栓部は、キャップの円筒部天面の円の中心から外れた位置に設けられており、ＴＥバンドは円筒部の下部に設けられ、周方向に沿う形で下端に凸部を有しており、円筒部の胴部外側中央付近には、摘みと、摘みに連続する２本の脆弱部が、円周方向に、傾斜をつけて設けられていることを特徴とする、密封容器のキャップである。【選択図】図１
2018070250.tif 000002
【特許請求の範囲】
【請求項１】
口栓部と、口栓部の下方に外周に沿って設けられた凹部を有し、口栓部を容器内側からガラス玉により密封した密封容器の、キャップであって、
容器の口栓部全体を覆う円筒部を有しており、
該円筒部に連続して、開栓具およびＴＥバンドが一体に成型されており、
該開栓具は、円筒部天面から圧力を加える押圧部と、ガラス玉に押圧を直接伝える、口栓部の開口部に挿入可能な直径を有する円筒状の押栓部とから構成され、
該円筒状の押栓部は、キャップの円筒部天面の円の中心から外れた位置に、容器の口栓部の開口部周縁に接触、または接触可能に設けられており、
該ＴＥバンドは、円筒部の円周方向に沿って周状に設けられた脆弱部を介して、キャップの円筒部の下部に設けられ、
該ＴＥバンドは、周方向に沿う形で下端に凸部を有しており、容器の口栓部の外周に沿って設けられた凹部に嵌合可能で、キャップを上下方向に緩むことなく容器の口栓部に固定することができ、
該キャップの円筒部の胴部外側中央付近には、手指で引き起こすことのできる摘みと、摘みに連続する２本の脆弱部が、円周方向に、それぞれ円筒部天面の押圧部、および下部のＴＥバンドに達するよう、傾斜をつけて設けられていることを特徴とする、密封容器のキャップ。
【請求項２】
口栓部と、口栓部の下方に外周に沿って設けられた凹部を有し、口栓部を容器内側からガラス玉により密封した密封容器の、キャップであって、
容器の口栓部全体を覆う円筒部を有しており、
該円筒部に連続して、開栓具およびストッパーリングおよびＴＥバンドが一体に成型されており、
該開栓具は、円筒部天面から圧力を加える押圧部と、ガラス玉に押圧を直接伝える、口栓部の開口部に挿入可能な直径を有する円筒状の押栓部とから構成され、
該押栓部の円筒は、キャップの円筒部天面の中心に設けられており、
該ストッパーリングは、開栓具の下降を防止するため、該円筒状の押栓部の周囲に接続部を介して設けてあり、
該ＴＥバンドは、円筒部の円周方向に沿って周状に設けられた脆弱部を介して、キャップの円筒部の下部に設けられ、
該ＴＥバンドは、周方向に沿う形で下端に凸部を有しており、容器の口栓部の外周に沿って設けられた凹部に嵌合可能で、キャップを上下方向に緩むことなく容器の口栓部に固定することができ、
該キャップの円筒部の胴部外側中央付近には、手指で引き起こすことのできる摘みと、摘みに連続する２本の脆弱部が、円周方向に、それぞれ円筒部天面の押圧部、および下部のＴＥバンドに達するよう、傾斜をつけて設けられていることを特徴とする、密封容器のキャップ。
【発明の詳細な説明】
【技術分野】
【０００１】
本発明は、瓶の栓に関するものである。とくに密封容器向けに考案された、開栓具を一体に設けた密封容器のキャップに関するものである。
【背景技術】
【０００２】
飲料は、様々な味、香りのものが開発、商品化され、容器に入れられて販売されている。その中でも清涼飲料と呼ばれるタイプがあり、とくに炭酸飲料と呼ばれるものは、清涼な風味のほかに瓶の形状もあいまって清涼感を感じさせ、暑い季節にはとくに親しまれている。
【０００３】
日本独特の清涼飲料として、古くからラムネと呼ばれる、炭酸入りの飲料があり、コッドビンと呼ばれる、くびれを持ったビンの口をビー玉等のガラス玉により栓をした容器が特徴となっている。中身を飲む際にはビン口を密封しているガラス玉をビン内に押し込んで、内圧を逃がすことで開栓する。
【０００４】
長らく、開栓に際して木製やプラスチック製の押し込み用具が、販売の店頭に置かれていたが、近年は開栓用の器具をキャップ等に添付、または一体化した状態で販売することが主流となっている。
【０００５】
ただし、口栓部への開栓用の器具の固定とともに、誤ってあるいは故意に開栓具を押すことによる、誤開栓、あるいは不正開栓を防止する必要もあり、開栓具と口栓部の間にリング状のストッパーを挟んで、これらをセットした後にシュリンクフィルムで口栓部を覆い、開栓具とストッパーを固定するとともに、テンパーエビデンス（Ｔａｍｐｅｒ  ｅｖｉｄｅｎｃｅ）性といわれる、開栓の痕跡を可視化することも行なわれている。
【０００６】
実際の製造ラインにおいては、開栓具およびリング状のストッパーをセットして後、シュリンクフィルムを装着し、シュリンクトンネルに通して、ビンおよび開栓具を固定するとともに、テンパーエビデンス性を確保しているが、製造工程が３工程となり、部材も少なくとも２種類を必要とすることから、工程の簡素化、部材の１パーツ化が求められている。
【０００７】
シュリンクフィルムをなくす方法として、シュリンクフィルムの代わりに、キャップのすそが口栓部全体を覆い、口栓部にロックされて、誤開栓、あるいは不正開栓を防止しようとするキャップも考案されているが、天面を強く押し付ける場合には、なお誤開栓、あるいは不正開栓などの、開栓事故のおそれがあって、充分とはいえない状況である。
【先行技術文献】
【特許文献】
【０００８】
【特許文献１】特開２００３−２３５３号公報
【発明の概要】
【発明が解決しようとする課題】
【０００９】
本発明はかかる状況に鑑みてなされたものであり、ガラス玉により口栓部を密封することのできる炭酸飲料等向け密封容器において、開栓具を備え、かつ誤開栓、あるいは不正開栓を防止することができるテンパーエビデンス性（以下ＴＥ性と略す）を備えた、密封容器のキャップを提供することを課題とする。
【課題を解決するための手段】
【００１０】
上記の課題を解決するための手段として、請求項１に記載の発明は、口栓部と、口栓部の下方に外周に沿って設けられた凹部を有し、口栓部を容器内側からガラス玉により密封した密封容器の、キャップであって、
容器の口栓部全体を覆う円筒部を有しており、
該円筒部に連続して、開栓具およびＴＥバンドが一体に成型されており、
該開栓具は、円筒部天面から圧力を加える押圧部と、ガラス玉に押圧を直接伝える、口栓部の開口部に挿入可能な直径を有する円筒状の押栓部とから構成され、
該円筒状の押栓部は、キャップの円筒部天面の円の中心から外れた位置に、容器の口栓部の開口部周縁に接触、または接触可能に設けられており、
該ＴＥバンドは、円筒部の円周方向に沿って周状に設けられた脆弱部を介して、キャップの円筒部の下部に設けられ、
該ＴＥバンドは、周方向に沿う形で下端に凸部を有しており、容器の口栓部の外周に沿って設けられた凹部に嵌合可能で、キャップを上下方向に緩むことなく容器の口栓部に固定することができ、
該キャップの円筒部の胴部外側中央付近には、手指で引き起こすことのできる摘みと、摘みに連続する２本の脆弱部が、円周方向に、それぞれ円筒部天面の押圧部、および下部のＴＥバンドに達するよう、傾斜をつけて設けられていることを特徴とする、密封容器のキャップである。
【００１１】
また、請求項２に記載の発明は、口栓部と、口栓部の下方に外周に沿って設けられた凹部を有し、口栓部を容器内側からガラス玉により密封した密封容器の、キャップであって、
容器の口栓部全体を覆う円筒部を有しており、
該円筒部に連続して、開栓具およびストッパーリングおよびＴＥバンドが一体に成型されており、
該開栓具は、円筒部天面から圧力を加える押圧部と、ガラス玉に押圧を直接伝える、口栓部の開口部に挿入可能な直径を有する円筒状の押栓部とから構成され、
該押栓部の円筒は、キャップの円筒部天面の中心に設けられており、
該ストッパーリングは、開栓具の下降を防止するため、該円筒状の押栓部の周囲に接続部を介して設けてあり、
該ＴＥバンドは、円筒部の円周方向に沿って周状に設けられた脆弱部を介して、キャップの円筒部の下部に設けられ、
該ＴＥバンドは、周方向に沿う形で下端に凸部を有しており、容器の口栓部の外周に沿って設けられた凹部に嵌合可能で、キャップを上下方向に緩むことなく容器の口栓部に固定することができ、
該キャップの円筒部の胴部外側中央付近には、手指で引き起こすことのできる摘みと、摘みに連続する２本の脆弱部が、円周方向に、それぞれ円筒部天面の押圧部、および下部のＴＥバンドに達するよう、傾斜をつけて設けられていることを特徴とする、密封容器のキャップである。
【発明の効果】
【００１２】
本発明によれば、ガラス玉により口栓部を密封することのできる密封容器等において、開栓具を備え、かつ誤開栓、あるいは不正開栓を防止することができるＴＥ性を備えた、密封容器のキャップを提供することが可能である。
【００１３】
とくに請求項２の発明によれば、ガラス玉により口栓部を密封することのできる密封容器において、開栓具を備え、かつ誤開栓、あるいは不正開栓をより確実に防止することができるＴＥ性を備えた、密封容器のキャップを提供することが可能である。
【図面の簡単な説明】
【００１４】
【図１】図１は、本発明に係る密封容器のキャップの、一実施態様を説明するための、斜視模式図である。
【図２】図２は、本発明に係る密封容器のキャップの、一実施態様を説明するための、斜視模式断面図である。
【図３】図３は、本発明に係る密封容器のキャップの、一実施態様について、容器本体への装着状況を説明するための、部分断面模式図である。
【図４】図４は、本発明に係る密封容器のキャップの、一実施態様について、その開栓の第一段階の状況を説明するための、部分断面模式図である。
【図５】図５は、本発明に係る密封容器のキャップの、一実施態様について、その開栓の状況を説明するための部分断面模式図である。
【図６】図６は、本発明に係る密封容器のキャップの、他の実施態様を説明するための断面模式図である。
【図７】図７は、本発明に係る密封容器のキャップの、他の実施態様について、容器本体への装着状況を説明するための、部分断面模式図である。
【図８】図８は、本発明に係る密封容器のキャップの、他の実施態様について、その開栓の第一段階の状況を説明するための、部分断面模式図である。
【図９】図９は、本発明に係る密封容器のキャップの、他の実施態様について、その開栓の状況を説明するための部分断面模式図である。
【図１０】図１０は本発明に係る密封容器のキャップを、開栓後にすべて取り除いた状態を説明するための、部分断面模式図である。
【発明を実施するための形態】
【００１５】
以下、本発明を図１〜図１０を参照しながら、更に詳しい説明を加える。ただし本発明は、ここに示す例にのみ限定されるものではない。本発明は、請求項によって限定されるものである。
【００１６】
図１は、本発明に係る密封容器のキャップの、一実施態様を説明するための、斜視模式図である。
【００１７】
本発明は容器の口栓部と、口栓部の下方外側に口栓部の凹部を有し口栓部を容器内側からガラス玉で密封することができる、密封容器のキャップ（１００）に係るものである。
【００１８】
キャップ（１００）は、容器の口栓部全体を覆う円筒部（８）を中心として構成される。材料は熱可塑性のプラスチックであって、金型を用いた射出成型などの加工によって、作ることができる。
【００１９】
キャップ（１００）の円筒部（８）に連続して、開栓具（３）およびＴＥバンド（４）が一体に成型されており、開栓具（３）は、円筒部（８）天面から圧力を加える押圧部（１）と、ガラス玉に押圧を直接伝える、円筒状の押栓部（２）とから構成される。押栓部（２）の円筒部の直径は、容器の口栓部の開口部に挿入可能な直径である。
【００２０】
キャップ（１００）の胴部の、円筒部（８）外側中央付近には、手指で引き起こすことのできる摘み（１７）と、摘み（１７）に連続する２本の線状の脆弱部が円周方向に、一本は円筒部（８）の上部切り裂き線（１８）として、円筒部（８）上部に達するよう、傾斜をつけて設けられている。
【００２１】
またもう一本は、下部切り裂き線（１９）として、円筒部（８）下部のＴＥバンド（４）の脆弱部（５）に達するよう、傾斜をつけて設けられている。脆弱部（５）は複数の繋ぎ部を有するブリッジ、もしくはハーフカットなどの切り込み等により薄肉に形成したスリットなどにより形成することができる。
【００２２】
これらの、脆弱部（５）、上部切り裂き線（１８）、下部切り裂き線（１９）は、円筒部（８）の胴部に対して、たとえば複数の繋ぎ部や、連続した貫通孔、ハーフカット等により形成される薄肉部とするなどの成型方法によって設けることができる。
【００２３】
手指で引き起こされた摘み（１７）を円周方向に引っ張ることによって、摘み（１７）に連続する、上部切り裂き線（１８）および下部切り裂き線（１９）に沿って胴部が切り裂かれる。切り裂き線は傾斜をつけて設けられているために、切り裂きが進むにしたがって、上部切り裂き線（１８）は、円筒部（８）天面の押圧部（１）に達し、下部切り裂き線（１９）は円筒部（８）下部のＴＥバンド（４）の脆弱部（５）に達する。
【００２４】
前述のように、脆弱部（５）は、円周方向に更に切り裂くことができ、円筒部（８）下部のＴＥバンド（４）を残して円筒部（８）と開栓具（３）は口栓部から取り外すことができる。
【００２５】
あるいは、上部切り裂き線（１８）が、円筒部（８）天面の押圧部（１）に達して、円筒部（８）上部に円周方向に脆弱部が設けてある場合には、円筒部（８）と開栓具（３）も分離することができる。
【００２６】
図２は、本発明に係る密封容器のキャップの、一実施態様を説明するための、斜視模式断面図である。
【００２７】
図２の斜視模式断面図において更に明確に示すように、キャップ（１００）は、密封容器の口栓部全体を覆うことができるよう、円筒部（８）を中心として構成されている。すなわち円筒部（８）の上部内側に連続して、開栓具（３）が連続して一体に成型されている。開栓具（３）は、上方から圧力を加える押圧部（１）と、ガラス玉に押圧を直接伝える円筒状の押栓部（２）とから構成される。
【００２８】
また、円筒部（８）の下部に脆弱部（５）を介して連続して、ＴＥバンド（４）が一体に成型されている。脆弱部（５）は、たとえばハーフカット等により形成される薄肉部とすることや、複数の繋ぎ部、あるいは連続した貫通孔などによって構成することができる。
【００２９】
ＴＥバンド（４）は円筒部（８）円周方向に沿って凸部（７）を有しており、容器の口栓部の外周に沿って設けられた凹部に嵌合可能で、キャップ（１００）を上下方向に緩むことなく容器の口栓部に固定することができる。
【００３０】
押栓部（２）の円筒の直径は、密封容器の口栓部にある開口部の内径より小さく、開栓時には、開口部に挿入可能である。また押栓部（２）は、キャップ（１００）の円筒部（８）天面の円の中心から外れた位置で、容器の口栓部の開口部周縁に、接触、または接触可能な位置に設けられている。
【００３１】
開栓に際しては、分離された開栓具における円筒状の押栓部（２）をガラス玉に接触させることのできる位置に置いて、押圧部（１）に力を加えることにより、押圧部（１）からの力をガラス玉に直接伝えて、ガラス玉を押し下げることによって、密封容器を開栓することができる。
【００３２】
押栓部（２）を、キャップ（１００）の円筒部（８）天面の中心からずれた位置に配置することにより、円筒状の押栓部（２）は、容器口栓部の開口部周縁に位置することにな
るため、圧力をガラス玉に直接伝えることが困難になり、流通時など開封前にはキャップ（１００）上方からの力に対して、キャップ（１００）全体を支えることとなり、意図しない不用意な開封を防止する効果を有する。
【００３３】
ＴＥバンド（４）は、円筒部（８）の円周方向に沿った直線状の脆弱部（５）を介して、キャップ（１００）の円筒部（８）の下部に設けられている。本発明において、キャップ（１００）は開栓具（３）およびＴＥバンド（４）が円筒部（８）と一体に成型されている。
【００３４】
またＴＥバンド（４）はキャップ（１００）の円筒部（８）の下部に、容器の口栓部の外周に沿うよう設けられて、キャップ（１００）が上下方向に緩むことなく固定することができる。固定は、ＴＥバンドの凸部（７）を、容器の口栓部の凹部（９）に嵌合させて行なうことができる。
【００３５】
嵌合は、キャップ（１００）を、加圧による打栓方式で密封容器の口栓部に固定する方式で行なうことができる。この固定によって、押栓部の取り付け位置による開封防止とあいまって、開封前にはキャップ（１００）上方からの力に対してキャップ（１００）全体を支える効果を有する。すなわち、開封前の誤開栓あるいは不正開栓の防止を、より確実にすることが可能である。
【００３６】
キャップ（１００）が、密封容器の口栓部を覆う形で固定されることにより、従来口栓部の被覆にシュリンクフィルムを被せて加熱していた工程が不要となり、材料のコストや工程の短縮に効果があり、コストダウンの利点も生まれる。
【００３７】
ＴＥバンド（４）は、ＴＥバンド（４）の脆弱部（５）を介してキャップ（１００）の円筒部（８）下部に接続している。
【００３８】
密封容器の開栓に当っては、円筒部（８）をキャップ（１００）から分離、除去することが必要であって、脆弱部（５）を破壊する必要がある。その結果、ＴＥ性すなわち開栓の履歴を可視化することが可能となり、不正開栓を防止することができる。
【００３９】
このことによってもまた、ＴＥ性を付与を目的として、口栓部の被覆にシュリンクフィルムを被せて、加熱していた従来の工程が不要となり、材料のコストや工程の短縮に効果があり、コストダウンの利点が生まれる。
【００４０】
図３は、本発明に係る密封容器のキャップの、一実施態様について、容器本体への装着状況を説明するための、部分断面模式図である。
【００４１】
キャップ（１００）は、密封容器（１１）の容器口栓部（１２）を覆い被せるように配置されて固定される。固定は、口栓部の凹部（９）にＴＥバンドの凸部（７）を嵌合させて固定することができる。
【００４２】
嵌合は、たとえばキャップ（１００）上方から加圧して打栓する方法をとることができる。固定によって、キャップ（１００）は容器口栓部（１２）に固定されて、上下方向および横方向の動きが封じられる。
【００４３】
またこの固定によって上方から押圧が加えられた際にも、その力を直接ガラス玉（１０）に伝えることがないため、密封容器（１１）の誤開栓、あるいは不正開栓を防止することができる。
【００４４】
キャップ（１００）内側には押圧部（１）に接続して、円筒状の押栓部（２）が成型によって一体に設けられている。押栓部（２）を、キャップ（１００）の円筒部（８）天面の円の中心から外れた位置に配置することにより、円筒状の押栓部（２）は口栓部の開口部周縁に位置することになる。
【００４５】
したがって、押栓部（２）は、口栓部（１２）の開口部（１３）周縁に接触している場合には、流通時など開封前にはキャップ（１００）上方からの力に対して、キャップ（１００）全体を支える効果を有する。また、押栓部（２）は中空の円筒であってもよく、中の詰まった円柱であってもかまわない。
【００４６】
容器口栓部（１２）は、密封容器（１１）の上部先端の部分であって、密封容器（１１）がガラス製の容器の場合には、本体と一体となったガラス製であってもよく、あるいはプラスチック成型品を容器本体に取り付けて、容器口栓部（１２）とすることも可能である。この口栓部の取り付けは、たとえば螺合によって取り付けることも可能である。
【００４７】
密封容器（１１）の密封は、容器口栓部（１２）の内部に配置される、ガラス玉（１０）と容器口栓部（１２）の開口部（１３）が接触して行なわれるのであり、ガラス玉（１０）は、炭酸ガスによる内部圧力によって開口部（１３）に押し付けられて、密封容器（１１）が密封される。
【００４８】
ガラス玉（１０）は、口栓部（１２）の開口部（１３）より直径が大きいために密封容器（１１）の外に出ることはなく、また胴部のくびれ（１４）を通過することはできないために、口栓部（１２）の内側と胴部のくびれ（１４）との間で可動ではあるが、密封容器（１１）の底にまで落ちることはない。
【００４９】
開栓は、容器口栓部（１２）のガラス玉（１０）を上方から押して、容器口栓部（１２）とガラス玉（１０）の内部圧力による密着、密封を解き、内圧の炭酸ガスを密封容器（１１）外側に排出することによって行なわれる。
【００５０】
図４は、本発明に係る密封容器のキャップの、一実施態様について、その開栓の第一段階の状況を説明するための、部分断面模式図である。
【００５１】
開栓はまず、第一段階として、図１に示す、摘み（１７）を手指で摘み起こして、円周方向に引っ張ることによって、円筒部（８）を切り裂いてＴＥバンド（４）と分離する。
【００５２】
キャップ（１００）の円筒部（８）の、胴部の外側中央付近には、手指で引き起こすことのできる摘み（１７）と、摘み（１７）に連続する２本の線状の脆弱部が円周方向に、一本は円筒部（８）の上部切り裂き線（１８）として、円筒部（８）上部に達するよう、傾斜をつけて設けられている。
【００５３】
またもう一本は、下部切り裂き線（１９）として、円筒部（８）下部のＴＥバンド（４）の脆弱部（５）に達するよう、傾斜をつけて設けられている。脆弱部（５）は複数の繋ぎ部を有するブリッジ、もしくはハーフカットなどの切り込み等により薄肉に形成したスリットなどにより形成することができる。
【００５４】
これらの、脆弱部（５）、上部切り裂き線（１８）、下部切り裂き線（１９）は、円筒部（８）胴部に対して、たとえば複数の繋ぎ部や、連続した貫通孔、ハーフカット等により形成される薄肉部とするなどの成型方法によって設けることができる。
【００５５】
手指で引き起こされた摘み（１７）を円周方向に引っ張ることによって、摘み（１７）
に連続する、上部切り裂き線（１８）および下部切り裂き線（１９）に沿って胴部が切り裂かれる。切り裂き線は傾斜をつけて設けられているために、切り裂きが進むにしたがって、上部切り裂き線（１８）は、円筒部（８）の上部に達し、下部切り裂き線（１９）は円筒部（８）下部のＴＥバンド（４）の脆弱部（５）に達する。
【００５６】
前述のように、脆弱部（５）は、円周方向に更に切り裂くことができ、円筒部（８）下部のＴＥバンド（４）を残して円筒部（８）と開栓具（３）は口栓部から取り外すことができる。
【００５７】
あるいは、上部切り裂き線（１８）が、円筒部（８）の上部に達して、円筒部（８）上部に円周方向に脆弱部が設けてある場合には、円筒部（８）と開栓具（３）も分離することができる。脆弱部が円周方向に円筒部（８）上部を一周していれば、切り裂きによって、円筒部（８）と開栓具（３）を切り離すことができる。
【００５８】
あるいは、この円筒部（８）上部分の脆弱部を設けない場合でも、上部切り裂き線（１８）の延長として、円筒部（８）と、円筒部（８）天面とを切り裂いて分離することが可能であれば、脆弱部を設けなくてもかまわない。
【００５９】
この切り離しは、図中矢印（Ａ）として示してある。分離した開栓具（３）は、図中矢印（Ｂ）のように移動させて、口栓部（１２）の開口部（１３）に挿入して押圧することで開栓することができる。
【００６０】
この円筒部（８）と開栓具（３）の分離が、完全になされない場合においても、押栓部（２）をガラス玉（１０）の上に図中矢印（Ｂ）のように移動させることができ、口栓部（１２）の開口部（１３）に挿入可能であれば、開栓を行なうことは可能である。
【００６１】
図５は、本発明に係る密封容器のキャップの、一実施態様について、その開栓の状況を説明するための部分断面模式図である。
【００６２】
前述のように、切り離された開栓具（３）は、押栓部（２）を口栓部の開口部（１３）に挿入することができる。続いて、図中矢印（Ｃ）に示すように、下方に向かって押圧部（１）に押し圧を加え、押栓部（２）によって、ガラス玉（１０）を下方に押し下げ、開栓することが出来る。
【００６３】
ガラス玉（１０）は、図中矢印（Ｄ）に示すように下降して、胴部のくびれ（１４）まで沈んで停止する。この状態で密封容器（１１）の開栓は完了したのであり、ＴＥバンド（４）は、口栓部の凹部（９）に嵌合したまま残されるが、内容物の取出しなどには影響しないため、そのままにしてもよく、除去してもかまわない。
【００６４】
図６は、本発明に係る密封容器のキャップの、他の実施態様を説明するための断面模式図である。
【００６５】
本発明において、ガラス玉で口栓部を密封することのできる密封容器において、開栓具を備え、かつ誤開栓、あるいは不正開栓を防止することができ、ＴＥ性を備えた、密封容器のキャップは、図６に示す形状でも実現することが可能である。
【００６６】
ここに示す例では、円筒状の押栓部（２）は、キャップ（１００）の円筒部（８）天面の円の中心に設けられている。また、円筒状の押栓部（２）の周囲には、開栓具（３）の下降を防止するストッパーリング（１５）が、キャップ（１００）とともに一体に成型されて設けてある。
【００６７】
ここに示す例においても、キャップ（１００）は、容器の口栓部全体を覆う円筒部（８）を中心に構成されており、円筒部（８）に連続して、開栓具（３）およびＴＥバンド（４）が一体に成型されており、開栓具（３）は、円筒部（８）天面から圧力を加える押圧部（１）と、ガラス玉に押圧を直接伝える、口栓部の開口部に挿入可能な直径の、円筒状の押栓部（２）とから構成されている。
【００６８】
円筒状の押栓部（２）の周囲には、開栓具（３）の下降を防止するストッパーリング（１５）が、キャップと（１００）一体に成型されて設けられる。ストッパーリング（１５）は円筒状の押栓部（２）の周囲を丸く囲む形状で設けられる。
【００６９】
また、ストッパーリング（１５）は、キャップ（１００）の円筒部（８）とは、脆弱部（１６）を介して連続しており、ストッパーリング（１５）と押栓部（２）とは、ストッパーリングの接続部（２１）を介して連続している。
【００７０】
脆弱部（１６）は、密封された密封容器に対し、打栓等によりキャッピングするに際して、あらかじめ脆弱部（１６）を破壊して、開栓具（３）及びストッパーリング（１５）を、キャップ（１００）の円筒部（８）の内側にセットした状態でキャッピングすることができる。
【００７１】
このようにセットおよびキャッピングすることによって、開栓具（３）はキャップ（１００）の円筒部（８）内に収納された状態になると同時に、押圧部（１）と、キャップ（１００）の円筒部（８）の上部との高低差がなくなり、押圧部（１）は外力を受けにくくなる。
【００７２】
また、ここに示す例において、キャップ（１００）はストッパーリング（１５）のほか、開栓具（３）およびＴＥバンド（４）が一体に成型されており、ＴＥバンド（４）はキャップ（１００）の円筒部（８）の下部に、容器の口栓部の凹部の外周に沿うよう設けられて、キャップ（１００）が上下方向に緩むことなく固定することができる。
【００７３】
図７は、本発明に係る密封容器のキャップの、他の実施態様について、容器本体への装着状況を説明するための、部分断面模式図である。
【００７４】
キャップ（１００）の容器口栓部（１２）への固定は、図３に示す例と同様に。ＴＥバンドの凸部（７）を、容器の口栓部の凹部（９）に嵌合させて行なうことができる。固定に先立って、ストッパーリング（１５）は、図６に示すストッパーリング（１５）下部に設けた、脆弱部（１６）を破断して、押圧部（１）および押栓部（２）を押し下げた状態でセットする。
【００７５】
押圧部（１）および押栓部（２）を押し下げた状態にすることによって、開栓具（３）は円筒部（８）内側に収納され、上方からの押圧部（１）への押圧に対して、キャップ（１００）の外周の円筒部（８）部分で支えることができ、誤開栓や不正な開栓を防止することが可能となる。
【００７６】
開栓具（３）自身もまた、押栓部（２）がストッパーリング（１５）と、押栓部とストッパーリングの接続部（２１）で繋がっており、ストッパーリング（１５）と開口部（１３）周縁で上からの力を支えることができるため、押圧部（１）に与えられた外力による誤開栓、あるいは不正な開栓を防止することが可能となる。
【００７７】
またＴＥバンド（４）はキャップ（１００）の円筒部（８）の下部に、容器の口栓部の
凹部（９）に沿って嵌合するよう設けられて、キャップ（１００）が上下方向に緩むことなく固定することができる。これによっても更に効果的に、誤開栓、あるいは不正な開栓を防止することが可能である。
【００７８】
図８は、本発明に係る密封容器のキャップの、他の実施態様について、その開栓の第一段階の状況を説明するための、部分断面模式図である。
【００７９】
開栓はまず、第一段階として、図１に示す、キャップ（１００）の円筒部（８）中央部に設けられた、摘み（１７）を手指で摘み起こして、円周方向に引っ張ることによって、円筒部（８）を切り裂いて除去する。
【００８０】
切り裂きは、摘み（１７）に連続して設けられた、２本の脆弱部を切り裂いて行なうことができる。脆弱部は摘み（１７）に連続して、キャップ（１００）の円筒部（８）の円周方向に上向きの傾斜をつけたものが、上部切り裂き線（１８）として一本設けてあり、これは円筒部（８）の上部に達する。
【００８１】
もう一本は摘み（１７）に連続して、キャップ（１００）の円筒部（８）の円周方向に下向きの傾斜をつけたものが下部切り裂き線（１９）としてもう一本設けてあり、これはＴＥバンド（４）と円筒部（８）との間に設けられた脆弱部（５）に達する。
【００８２】
この切り裂きによって、キャップを、開栓具（３）、円筒部（８）、ＴＥバンド（４）に三分割することができる。下部切り裂き線（１９）はＴＥバンド（４）と円筒部（８）との間に設けられた脆弱部（５）に達する。
【００８３】
脆弱部（５）は、ハーフカット等により形成される肉薄部としてもよく、連続した貫通孔として設けることもできる。脆弱部（５）は円周方向に円筒部（８）下部を一周しているため、切り裂きによってキャップ（１００）の円筒部（８）とＴＥバンド（４）は切り離される。
【００８４】
一方、上部切り裂き線（１８）は円筒部（８）の上部に達する。すなわち、切り裂きによって、キャップ（１００）の円筒部（８）と開栓具（３）を切り離すことができる。この切り離しは、図中矢印（Ｅ）として示してある。
【００８５】
この切り裂きによる分離によって、開栓具（３）は、固定が解かれ、上方からの押圧を押圧部（１）に受けて、押栓部（２）を介して、ガラス玉（１０）を下方に押し下げて、密封容器（１１）を開栓することが可能になる。
【００８６】
図９は、本発明に係る密封容器のキャップの、他の実施態様について、その開栓の状況を説明するための部分断面模式図である。
【００８７】
前述のように、切り離された開栓具（３）は、押栓部（２）を口栓部の開口部（１３）に挿入することができる。続いて、図中矢印（Ｆ）に示すように、下方に向かって押圧部（１）に強く押圧を加え、押栓部（２）によって、ガラス玉（１０）を下方に押し下げ、開栓することが出来る。
【００８８】
このとき、ストッパーリング（１５）と押栓部（２）は、押栓部とストッパーリングの接続部（２１）で連続しているが、押圧部に（１）強く押圧を加えることで、押栓部（２）とストッパーリングとの間の、ストッパーリングの接続部（２１）を破壊して、押圧部（１）に連続する押栓部（２）を、開口部（１３）に挿入して、ガラス玉（１０）を押し下げることが可能になる。
【００８９】
ガラス玉（１０）は、図中矢印（Ｇ）に示すように下降して、胴部のくびれ（１４）まで沈んで停止する。この状態で密封容器（１１）の開栓は完了したのであり、ＴＥバンド（４）は、口栓部の凹部（９）に嵌合したまま残されるが、内容物の取出しなどには影響しないため、そのままにしてもよく、除去してもかまわない。
【００９０】
図１０は本発明に係る密封容器のキャップを、開栓後にすべて取り除いた状態を説明するための、部分断面模式図である。
【００９１】
開栓が完了した後、キャップ（１００）はすべて取り除かれ、密封容器（１１）の容器口栓部（１２）、および開口部（１３）が露出する。またガラス玉（１０）は落下して、密封容器（１１）の胴部くびれ（１４）に達して止まる。
【００９２】
このときガラス玉（１０）は、胴部のくびれ（１４）と容器口栓部（１２）の空間内で可動であるため、密封容器（１１）を傾けることによって、図中の矢印で示すように、内容物（２０）の流路は確保され、炭酸飲料の取出しが可能となる。
【００９３】
本発明はキャップ（１００）に関するものであり、キャップ（１００）を、密封容器（１１）の容器口栓部（１２）に嵌合させて用いるが、嵌合は、キャップ（１００）を、加圧による打栓方式で口栓部に固定する方式で行なうことができる。
【００９４】
本発明においては、キャップ（１００）が、容器の口栓部を覆う形で固定されることにより、従来容器口栓部（１２）の被覆にシュリンクフィルムを被せて、加熱していた工程が不要となり、材料のコストや工程の短縮に効果があり、コストダウンの利点が生まれる。また容器口栓部（１２）の被覆によって異物やホコリなどが、容器口栓部（１２）やガラス玉（１０）に付着することも防止することができ好都合である。
【００９５】
また、本発明においては、ＴＥ性、すなわち開栓の履歴を可視化することが可能である。すなわち、誤開栓、あるいは不正開栓を防止することが可能である。
【００９６】
すなわち本発明においては、従来ＴＥ性を付与するために費やしていた別部材や別工程を省いて、キャップの一体成型で実現できるため、材料のコストや工程の短縮に効果があり、コストダウンの利点が生まれる。
【００９７】
このように本発明によれば、ガラス玉で口栓部を密封することのできる密封容器等において、開栓具を備え、かつ誤開栓、あるいは不正開栓を防止することができるＴＥ性を備えた、密封容器のキャップを提供することが可能である。
【符号の説明】
【００９８】
１・・・押圧部
２・・・押栓部
３・・・開栓具
４・・・ＴＥバンド
５・・・脆弱部
７・・・凸部
８・・・円筒部
９・・・凹部
１０・・・ガラス玉
１１・・・密封容器
１２・・・容器口栓部
１３・・・開口部
１４・・・くびれ
１５・・・ストッパーリング
１６・・・脆弱部
１７・・・摘み
１８・・・上部切り裂き線
１９・・・下部切り裂き線
２０・・・内容物
２１・・・接続部
１００・・・キャップ
Ａ・・・矢印
Ｂ・・・矢印
Ｃ・・・矢印
Ｄ・・・矢印
Ｅ・・・矢印
Ｆ・・・矢印
Ｇ・・・矢印
【図１】
2018070250.tif 000003
【図２】
2018070250.tif 000004
【図３】
2018070250.tif 000005
【図４】
2018070250.tif 000006
【図５】
2018070250.tif 000007
【図６】
2018070250.tif 000008
【図７】
2018070250.tif 000009
【図８】
2018070250.tif 000010
【図９】
2018070250.tif 000011
【図１０】
2018070250.tif 000012